(57)【要約】【目的】書籍本隊を、読み見出来る、装置を提供する。【構成】書籍本体の一部分を、収縮材にて包み込み、熱を与えて、収縮材を収縮させ、本書の一部分を、収縮固定し、又は、結束し、他の部分を読み見出来る様にする。【選択図】図１
2007276429.tif 000002
【特許請求の範囲】
【請求項１】
現在の書籍、漫画本等は、外部より包み込み，封が、多々、してあり，本書内を、読み見して，購入することが出来ない事が多々あるから、書籍本体のおもて表紙と本書内の一部分と共に上方に開き、下方にある、うら表紙を、下方に開き、残った本書の部分を、熱を与えると、収縮する、任意の構造の収縮材で、包み込み、封じ、又は、鉢巻状に結束し、収縮材に熱を与え，収縮させ包み込み封じ、収縮、固定し，本書の一部分を、読み見る事の出来る様にし、且つ、熱を与えず、熱を与えると収縮するインシュロクタイ又は、既存のインシュロクタイ等の任意の構造の結束材にて鉢巻状、又は、任意の方法で結束して、溶熱着、又は、任意の方法と場所で、結束固定し、本書内の一部分が、読み見る事の出来る様にした装置。
【請求項２】
書籍、漫画本等の一部分を、熱を与えると収縮する袋状、シ−ト状、フィルム状、円筒状の収縮材にて、包み込み封をして、収縮材に熱を与え、収縮させ封じこみ、固定し、本書の一部分が、読み見る事の出来る事を特徴とする請求項１の装置。
【請求項３】
本書の一部分を、収縮する収縮材にて、鉢巻状に結束し収縮材に熱を与え、収縮、固定し、本書の一部分が、読み見る事の出来る事を特徴とする請求項１、２の装置。
【請求項４】
文庫版、新書版，Ｂ６番、Ａ５番、Ｂ５番、雑誌、写真集の一部分を、収縮材にて、包み封じこみ、熱を与え、収縮材を、収縮固定し、他の部分が、読み見る事の出来る事を特徴とする１、２、３、の装置。
【請求項５】
本書内の残った部分に、熱を与えず、熱を与えると収縮するインシュロクタイ、又は、既存のインシュロクタイ等の任意の構造の結束材にて、鉢巻状、又は、任意の方法で結束して、溶熱着、又は、任意の方法と場所で、結束固定し本書の一部分が、読み見る事の出来る事を特徴とする請求項１、２、３、４、の装置。
【発明の詳細な説明】
【発明の詳細な説明】
【技術分野】
【０００１】  本発明は、書籍、漫画本等、に係るものである。書籍は、大小種類が多々有り、従来より、主に書店で陳列して、販売されていた。購入者は、必要書籍を求めて、物色する過程で、立って書籍を、手に取り、持ち各ペ−ジ等を、見て判断し理解して、必要書籍を購入するが、現在の書籍は、外部が全体的に、多々、包装されていて、本書内を、読み見る事が出来ないから、本発明は、熱を与えると、収縮する収縮材にて、本書内の一部を、封じ込み、熱を与え、収縮材を収縮させて、本書内の残った部分を収縮固定し、本書の一部分が、読み見る事の出来る様にし、且つ、熱を与えず、熱を与えると収縮するインシュロクタイ、又は、既存のインシュロクタイ等の任意の構造の結束材にて、鉢巻状に、又は、任意の方法で結束して、溶熱着、又は、任意の方法と場所で、固定し、本書内の一部分が、読み見ることが出来るようにし、購入者の購入判断を、高める為の装置に係るものである。
【背景の技術】
【０００２】  従来より、包装された書籍の一部分を、読み見て、購入する装置はなかった。
【発明が解決しようとする課題】
【０００３】  現在の書籍、漫画本等は、外部が、多々、包装されていて、書籍本書内を、読み見る事が出来ないため、一部分のみを、読み見る事の出来る様にし、購入者が、購入意識を、高める為の問題を、解決する為に、なされたものである。
【問題を解決しようとする手段】
【０００４】  上記の問題を、解決する為に、本発明は、下記の、書籍の一部分を読み見る事の出来る装置を提供するものである。
【０００５】  （１）現在の書籍、漫画本等は、外部より、包み込み封がしてあり、本書内を、読み見て、購入することが出来ない事が多々あるから、書籍本体の、おもて表紙と本書内の一部分を共に上方に開き、下方にある、うら表紙を下方に開き、残った本書の部分を、熱を与えると収縮する収縮材で、包み込み、収縮材に熱を与え、収縮させ、封をし、固定し、本書の一部分を、読み見る事の出来る様にし、且つ、熱を与えず、熱を与えると収縮するインシュロクタイ、又は、既存のインシュロクタイ等の、任意の構造の結束材にて、鉢巻状に、又は、任意の方法で結束して、溶熱着、又は、任意の方法と場所で、結束固定し、本書内の、一部分が、読み見る事の出来るようにした装置。
【請求項１】
【０００６】  （２）書籍、漫画本等の一部分を、熱を与えると収縮する、袋状、シ−ト状、フィルム状、円筒状の、収縮材にて、包み込み封をして、熱を与え、収縮材を収縮させ、封じこみ、固定することを、特徴とする。
【請求項２】
【０００７】  （３）収縮材にて、残った本書部分を鉢巻状に、結束し、熱を与え、収縮させ、固定する事を、特徴とする。
【請求項３】
【０００８】  （４）文庫判、新書判、Ｂ６判、Ａ５判、Ｂ５判、雑誌、写真集の一部分を、収縮材で包み、封をし、熱を与え、収縮固定する事を、特徴とする。
【請求項４】
【０００９】  （５）本書内の残った本書の部分を、熱を与えず任意の構造の、熱を与えると収縮するインシュロクタイ、又は、既存のインシュロックタイ等の、任意の構造の結束材にて、鉢巻状に、又は、任意の方法で結束して、溶熱着、又は、任意の方法と場所で、結束固定する事を、特徴とする。
【発明を実施するための最良の形態】
【０００１０】  書籍、漫画本等の一部分を、収縮材にて、収縮固定する。
【実施例】
【０００１１】  次に、本発明の、実施例を、添付図面にて、説明する。【０００１２】  図１は、書籍本体１の、おもて表紙２と共に，本書の一部分３を、上方に開き、うら表紙４を下方に開き残った本書５を、収縮材６にて、包み込み、各方面より熱７を与え収縮材６を、収縮させて、残った本書５を、固定するのである。【０００１３】  図２は、書籍本体１の、おもて表紙２と共に本書の一部分３を、上方に開き、うら表紙４を、下方に開き、残った本書５を収縮材６にて、鉢巻状に結束し、各方面より収縮材６に熱７を与え、収縮材６を収縮させて残った本書５を固定するのである。【０００１４】  図３は、書籍本体１、おもて表紙２と共に本書の一部分３を、上方に開き、うら表紙４を下方に開き、残った本書５を、任意の構造のインシュロクタイ等の任意の構造の結束材８にて、鉢巻状に結束し、熱７を各方面から与えず、溶熱着又は、任意の方法と任意の場所９で、結束固定するのである。
【発明の効果】
【０００１５】  請求項１の本書の一部分を、読み見る事の出来るようにした装置により、書籍漫画本等の購入者の購入判断意識を高めるのである。
【０００１６】  請求項２、３、４、５も請求項１と、同様の効果を発揮する。
【図面の簡単な説明】
【図１】は、本書のおもて表紙と本書の一部分と共に、上方に開き、下方のうら表紙は、下方に開き、残った本書を収縮材にて包み込み、収縮材に各方面から熱を与えて収縮材を収縮させ残った本書を、、収縮材にて固定した状態を示す展開図である。
【図２】は、書籍本体のおもて表紙と、本書の一部分を共に上方に開き、下方のうら表紙は、下方に開き、残った本書に、収縮材を鉢巻状に結束し、各方面から熱を与え、収縮材を収縮させ、残った本書を固定する状態を示す展開図である。
【図３】は、書籍本体のおもて表紙と本書の一部分を共に、上方に開き、下方のうら表紙は下方に開き、残った本書に任意の構造のインシュロクタイ等の任意の構造の結束材にて、鉢巻状に結束し、熱を各方面から与えず、溶熱着又は、任意の方法と場所で、結束固定する状態を示す展開図である。
【符号の説明】
１、書籍本体
２、おもて表紙
３、おもて表紙と共に開く本書の一部分
４、うら表紙
５、残った本書
６、収縮材を示す点線
７、熱を示す矢印
８、インシュロクタイ等結束材
９、任意の場所
【図１】
2007276429.tif 000003
【図２】
2007276429.tif 000004
【図３】
2007276429.tif 000005